(57)【要約】【課題】簡単な構造の音響装置の提供【解決手段】音響装置１は、中空の箱体２からなり、箱体２には、箱体２を長手方向Ｄ１に貫通し両端に一対のスピーカ開口３１を有する音響空間３が設けられている。箱体２の長手方向Ｄ１における中央部には、外部音源Ｔを差し込むための差込口４が設けられ、差込口４は音響空間３の中央部に連通している。短手方向Ｄ２における音響空間３の幅寸法は、長手方向Ｄ１外方に向かうに従い漸増し、差込口４に差し込まれた外部音源Ｔから発せられた音は、音響空間３の中央部から長手方向Ｄ１外方に伝達され、一対のスピーカ開口３１から出力される。【選択図】図１
2017227741.tif 000002
【特許請求の範囲】
【請求項１】
中空の箱体からなる音響装置であって、
前記箱体には、前記箱体を第１方向に貫通し両端に一対のスピーカ開口を有する音響空間が設けられ、
前記箱体の前記第１方向における中央部には、外部音源を差し込むための差込口が設けられ、
前記差込口は前記音響空間の中央部に連通し、
第２方向における前記音響空間の幅寸法は、前記第１方向外方に向かうに従い漸増し、
前記差込口に差し込まれた前記外部音源から発せられた音は、前記音響空間の前記中央部から前記第１方向外方に伝達され、前記一対のスピーカ開口から出力されることを特徴とする音響装置。
【請求項２】
前記外部音源は前記差込口に前記第２方向に差し込まれ、前記第２方向は前記第１方向に垂直であることを特徴とする請求項１に記載の音響装置。
【請求項３】
前記外部音源は前記差込口に前記第３方向に差し込まれ、前記第２方向は前記第１方向に垂直であり、前記第３方向は前記第１方向及び前記第２方向に垂直であることを特徴とする請求項１に記載の音響装置。
【請求項４】
前記箱体は、第１凹部が形成された第１板体と、前記第１板体に積層された第２板体と、を備え、前記第２板体には前記第１凹部に連通する第２凹部が形成され、前記音響空間は、前記第１凹部と前記第２凹部の組み合わせにより形成されていることを特徴とする請求項１〜３の何れかに記載の音響装置。
【請求項５】
前記箱体は、第１凹部が形成された第１板体と、前記第１板体に積層された第２板体と、を備え、前記第２板体には前記第１凹部に連通する第２凹部が形成され、前記音響空間及び前記差込口孔は、前記第１凹部と前記第２凹部の組み合わせにより形成されていることを特徴とする請求項１又２に記載の音響装置。
【請求項６】
前記箱体には前記音響空間に連通する副音響空間が設けられ、
前記副音響空間は、前記音響空間から前記第２方向に延び、前記箱体の側面において開口することを特徴とする請求項１〜５の何れかに記載の音響装置。
【発明の詳細な説明】
【技術分野】
【０００１】
本発明は、音源から出力された音響を非電気的に増幅させる音響装置に関する。
【背景技術】
【０００２】
近年では、スマートフォン等の携帯端末に音楽データを記憶させておけば、好きな音楽をいつでも楽しむことができるようになっている。この場合、イヤホンを介して音楽を聴くことができ、また内蔵の小型スピーカから音楽を流すこともできる。また、内蔵の小型スピーカでは大音量での出力が困難なため、外部のスピーカに接続して音楽を流すこともできる。
【０００３】
また、電源を必要とする従来型のスピーカに代わるものとして、電源を必要としない音響装置が種々提案されている。この種の音響装置は内部のホーン構造により音を増幅させて出力させる（例えば、特許文献１参照）。
【先行技術文献】
【特許文献】
【０００４】
【特許文献１】特開第２００５−１８４０５０号公報
【発明の概要】
【発明が解決しようとする課題】
【０００５】
しかしながら、特許文献１に開示の音響装置は構造が複雑で製造が難しいという問題があった。また、特許文献１に開示の音響装置は、それ自体がインテリアとして利用可能に設計されており、設置場所や設置方法が限られていた。
【０００６】
そこで本発明は、簡単な構造の音響装置の提供を目的とする。
【０００７】
また本発明は、家具に組み込む等、設置場所や設置方法の選択肢が広い音響装置の提供を他の目的とする。
【課題を解決するための手段】
【０００８】
本発明の請求項１に記載の音響装置は、中空の箱体からなる音響装置であって、前記箱体には、前記箱体を第１方向に貫通し両端に一対のスピーカ開口を有する音響空間が設けられ、前記箱体の前記第１方向における中央部には、外部音源を差し込むための差込口が設けられ、前記差込口は前記音響空間の中央部に連通し、第２方向における前記音響空間の幅寸法は、前記第１方向外方に向かうに従い漸増し、前記差込口に差し込まれた前記外部音源から発せられた音は、前記音響空間の前記中央部から前記第１方向外方に伝達され、前記一対のスピーカ開口から出力されることを特徴とする。
【０００９】
本発明の請求項２に記載の音響装置は、前記外部音源は前記差込口に前記第２方向に差し込まれ、前記第２方向は前記第１方向に垂直であることを特徴とする。
【００１０】
本発明の請求項３に記載の音響装置は、前記外部音源は前記差込口に前記第３方向に差し込まれ、前記第２方向は前記第１方向に垂直であり、前記第３方向は前記第１方向及び前記第２方向に垂直であることを特徴とする。
【００１１】
本発明の請求項４に記載の音響装置は、前記箱体は、第１凹部が形成された第１板体と、前記第１板体に積層された第２板体と、を備え、前記第２板体には前記第１凹部に連通する第２凹部が形成され、前記音響空間は、前記第１凹部と前記第２凹部の組み合わせにより形成されていることを特徴とする。
【００１２】
本発明の請求項５に記載の音響装置は、前記箱体は、第１凹部が形成された第１板体と、前記第１板体に積層された第２板体と、を備え、前記第２板体には前記第１凹部に連通する第２凹部が形成され、前記音響空間及び前記差込口孔は、前記第１凹部と前記第２凹部の組み合わせにより形成されていることを特徴とする。
【００１３】
本発明の請求項６に記載の音響装置は、前記箱体には前記音響空間に連通する副音響空間が設けられ、前記副音響空間は、前記音響空間から前記第２方向に延び、前記箱体の側面において開口することを特徴とする。
【発明の効果】
【００１４】
本発明の音響装置によれば、箱体を第１方向に貫通し両端に一対のスピーカ開口を有する音響空間が設けられ、差込口に差し込まれた外部音源から発せられた音は、音響空間の中央部から第１方向外方に伝達されて出力される構成であるため、構成が簡単で製造を容易にできる。また、一対のスピーカ開口は第１方向における両端に設けられているので、音は一対のスピーカ開口から第１方向外方に向けて出力され、一対のスピーカ開口から同一方向に向けて出力される場合と比較して、音の広がりを良くできる。
【００１５】
また、本発明の請求項２に記載の音響装置によれば、外部音源が差し込まれる第２方向は第１方向に垂直であるので、外部音源の差し込みを容易にできる。
【００１６】
また、本発明の請求項３に記載の音響装置によれば、外部音源が差し込まれる第３方向は、第１方向及び第２方向に垂直であるので、外部音源の差し込みを容易にできる。  
また、本発明の請求項４に記載の音響装置によれば、箱体は、第１凹部が形成された第１板体と、第１板体に積層された第２板体と、を備え、第２板体には第１凹部に連通する第２凹部が形成され、音響空間は第１凹部及び第２凹部から形成されているので、第１板体と第２板体とを積層するだけで音響空間を形成でき、音響装置の製造を容易にできる。
【００１７】
また、本発明の請求項５に記載の音響装置によれば、箱体は、第１凹部が形成された第１板体と、第１板体に積層された第２板体と、を備え、第２板体には第１凹部に連通する第２凹部が形成され、音響空間及び差込口は第１凹部及び第２凹部から形成されているので、第１板体と第２板体とを積層するだけで音響空間及び差込口を形成でき、音響装置の製造を容易にできる。
【００１８】
また、本発明の請求項６に記載の音響装置によれば、音響空間に連通する副音響空間が設けられ、副音響空間は、前記音響空間の側面において開口するので、外部音源から発せられた音響は、副音響空間においても増幅されて出力される。よって、第１方向両側から出力される音響と第２方向側方から出力される音響とにより、より広がりのある音響効果を得ることができる。
【図面の簡単な説明】
【００１９】
【図１】本発明の第１実施形態に係る音響装置の透視斜視図。
【図２】図１の音響装置を示す図であって、（ａ）は透視裏面図、（ｂ）は左側面図、（ｃ）は透視平面図、（ｄ）は右側面図、（ｅ）は透視正面図。
【図３】図１の音響装置の分解斜視図。
【図４】図１の音響装置をテーブルの下面に設置した例を示す斜視図。
【図５】本発明の第２実施形態に係る音響装置の透視斜視図。
【図６】図５の音響装置を示す図であって、（ａ）は透視裏面図、（ｂ）は左側面図、（ｃ）は透視平面図、（ｄ）は右側面図、（ｅ）は透視底面図、（ｆ）は透視正面図。
【図７】図５の音響装置の分解斜視図。
【図８】本発明の第３実施形態に係る音響装置を示す図であって、（ａ）は透視裏面図、（ｂ）は左側面図、（ｃ）は透視平面図、（ｄ）は右側面図、（ｅ）は透視正面図。
【図９】図８の音響装置の分解斜視図。
【図１０】本発明の第４実施形態に係る音響装置を示す図であって、（ａ）は透視裏面図、（ｂ）は左側面図、（ｃ）は透視平面図、（ｄ）は右側面図、（ｅ）は透視底面図、（ｆ）は透視正面図。
【図１１】図１０の音響装置の分解斜視図。
【図１２】図１の音響装置の変形例を示す分解斜視図。
【図１３】図１の音響装置の他の変形例を示す要部断面図であり、図１のＸＩＩＩ―ＸＩＩＩ線断面図に相当する。
【発明を実施するための形態】
【００２０】
［第１実施形態］
以下、添付図面を参照して、本発明の第１実施形態に係る音響装置について説明する。図１及び図２を参照して、音響装置１は外部音源Ｔからの音響を非電気的（外部電源やバッテリを使用せず）に増幅させて出力するものであり、中空の箱体２からなる。箱体２には箱体２を長手方向（第１方向）Ｄ１に貫通する音響空間３が設けられ、音響空間３の長手方向Ｄ１両端は一対のスピーカ開口３１,３１として機能する。短手方向（第２方向）Ｄ２における音響空間３の幅寸法は短手方向Ｄ２に相互に対向する一対の湾曲面２１，２２により規定されており、長手方向Ｄ１外方に向かうに従い漸増する。また、音響空間３は長手方向Ｄ１及び厚さ方向（第３方向）Ｄ３において対称に形成されている。
【００２１】
また、箱体２は短手方向Ｄ２において相互に対向する一対の側面２３，２４を有し、一方の側面２３における長手方向Ｄ１中央部には、外部音源Ｔを差し込むための差込口４が設けられている。外部音源Ｔとしては、スマートフォン等の通信端末や、携帯型音楽プレーヤ等が挙げられる。差込口４は短手方向Ｄ２に延び、音響空間３の長手方向Ｄ１中央部に連通している。また、音響空間３の長手方向Ｄ１中央部は、側面２３側（差込口４側）に偏倚し、湾曲面２１は湾曲面２２よりも小さな曲率で大きく湾曲している。
【００２２】
かかる構成において、外部音源Ｔを差込口４に差し込んで音楽を再生すると、外部音源Ｔの端面Ｔａ（又はその近傍）に設けられたスピーカ（図示せず）から音響が発せられ、この音響は音響空間３の中央部から長手方向Ｄ１両側に伝達され、一対のスピーカ開口３１から出力される。このとき、音響空間３は音響を拡声するホーンとして機能し、内部で共鳴や振動を起こさせる。これにより、外部音源Ｔからの音響は、より大音量でより響きのある音響に増幅されてスピーカ開口３１から出力される。
【００２３】
また、本実施形態においては、音響は音響装置１の長手方向Ｄ１両側から外方に向かって出力されるので、左右一対のスピーカ開口が正面を向くタイプのものと比較して、より広がりのある音響効果を得ることができ、部屋全体に音を響かせることができる。
【００２４】
ここで、差込口４の大きさは、外部音源Ｔを差込口４に差し込んだときに外部音源Ｔと差込口４の内面との間に隙間が生じるように設定されるのが好ましい。外部音源Ｔと差込口４の内面との間に隙間が生じると、当該隙間が副音響空間として機能し、外部音源Ｔからの音響は副音響空間内においても増幅され、差込口４から外部に出力される。よって、スピーカ開口３１から出力される音響と差込口４から出力される音響とが響き合い、より響きのある音響を楽しめる。
【００２５】
図３をも参照して、箱体２は相互に積層された一対の板体２Ａ,２Ｂから構成されている。板体２Ａの一方の幅広面である上面２２Ａには第１凹部Ｒ１が形成され、第１凹部Ｒ１は音響空間３に対応する第１溝部３Ａと、差込口４に対応する第２溝部４Ａとを含む。同様に、板体２Ｂの一方の幅広面である下面２２Ｂには第２凹部Ｒ２が形成されており、第２凹部Ｒ２は、音響空間３に対応する第３溝部３Ｂと、差込口４に対応する第４溝部４Ｂとを含む。
【００２６】
そして、板体２Ａの上面２２Ａが板体２Ｂの下面２２Ｂに当接するように板体２Ａと板体２Ｂとを積層させて固定すると、第１溝部３Ａと第３溝部３Ｂの組み合わせにより音響空間３が形成され、第２溝部４Ａと第４溝部４Ｂの組み合わせにより差込口４が形成される。
【００２７】
よって、本実施形態においては、一枚の板体に音響空間３及び差込口４を成形するのに代えて、一対の板体の幅広面に第１凹部Ｒ１及び第２凹部Ｒ２をそれぞれ形成して板体２Ａ，２Ｂとし、これら板体２Ａ，２Ｂを積層して固定することで箱体２、すなわち音響装置１を製造できるので、音響装置１の製造を容易にできる。
【００２８】
板体２Ａ，２Ｂの素材に限定はなく、例えば箱体２を木製とすることもできる。箱体２を木製とした場合、素材となる木の種類や長手方向Ｄ１の寸法、湾曲面２１，２２の形状（曲率半径）等によって音の響き方が変わり、音楽の種類や個人の好みに応じた音響装置１を提供できる。
【００２９】
なお、音響装置１は、図１に示すように差込口４が水平方向を向くように横置きにして用いてもよく、差込口４が上を向くように縦置きにして用いても良く、或いは差込口４が上を向くようにして壁掛けにして用いても良い。このように、本実施形態に係る音響装置１は、構造がシンプルで厚みが比較的小さいため設置場所や設置方法の選択肢が広く、また他の物（例えば、家具等）と組み合わせて用いることもできる。例えば、図４に示すように、音響装置１をテーブル９の裏面９１に装着させれば、通常のテーブル９を音響機能付きのテーブルとして利用でき、他の物との組み合わせを楽しむことができる。
【００３０】
［第２実施形態］
次に、本発明の第２実施形態に係る音響装置について説明する。図５及び図６を参照して、音響装置１０１は中空の箱体１０２からなり、箱体１０２には箱体１０２を長手方向（第１方向）Ｄ１に貫通する音響空間１０３が設けられ、音響空間１０３の長手方向Ｄ１両端は一対のスピーカ開口１３１,１３１として機能する。短手方向（第２方向）Ｄ２における音響空間１０３の幅寸法は長手方向Ｄ１外方に向かうに従い漸増するように、短手方向Ｄ２に相互に対向する一対の湾曲面１２１，１２２により規定されている。また、音響空間１０３は長手方向Ｄ１、短手方向Ｄ２、及び厚さ方向（第３方向）Ｄ３において対称に形成されている。
【００３１】
箱体２は厚さ方向Ｄ３において相互に対向する一対の幅広面１２５，１２６を有し、一方の幅広面１２５における中央部（長手方向Ｄ１及び短手方向Ｄ２における中央部）には、外部音源Ｔを差し込むための差込口１０４が設けられている。差込口１０４は厚さ方向Ｄ３に延び、音響空間１０３の中央部に連通している。
【００３２】
かかる構成において、外部音源Ｔを差込口１０４に差し込んで音楽を再生すると、外部音源Ｔの端面Ｔａ（又はその近傍）に設けられたスピーカ（図示せず）から音響が発せられ、この音響は上述した第１実施形態の場合と同様に、音響空間１０３の中央部から長手方向Ｄ１両側に伝達され、一対のスピーカ開口１３１から出力される。すなわち、音響空間１０３は音響を拡声する音響空間として機能し、内部で共鳴や振動を起こさせる。これにより、外部音源Ｔからの音響は、より大音量でより響きのある音響に変化されてスピーカ開口１３１から出力される。
【００３３】
図７をも参照して、箱体１０２は相互に積層された一対の板体１０２Ａ,１０２Ｂから構成されている。板体１０２Ａの一方の幅広面である上面１２２Ａには音響空間１０３に対応する第１凹部Ｒ１０１が形成されている。同様に、板体１０２Ｂの一方の幅広面である下面１２２Ｂには音響空間１０３に対応する第２凹部Ｒ１０２が形成されると共に、差込口１０４が形成されている。
【００３４】
そして、板体１０２Ａの上面１２２Ａに板体１０２Ｂの下面１２２Ｂを当接させて板体１０２Ａと板体１０２Ｂと積層させて固定すると、第１凹部Ｒ１０１と第２凹部Ｒ１０２の組み合わせにより音響空間１０３が形成される。このように、本実施形態においても、音響装置１０１の製造を容易にできる。
【００３５】
［第３実施形態］
次に、本発明の第３実施形態に係る音響装置について説明する。図８及び図９を参照して、音響装置２０１は上記第１実施形態の音響装置１と略同一の構成を有するが、音響空間３に連通する副音響空間２０３が設けられている点で異なる。副音響空間２０３は、音響空間３の長手方向Ｄ１中央部から短手方向Ｄ２に延び、箱体２の側面２４において開口する。このように構成することにより、外部音源Ｔからの音響は副音響空間２０３内においても共鳴し、副音響空間２０３から外部に出力される。よって、スピーカ開口３１から出力される音響と副音響空間２０３から出力される音響とが響き合い、より響きのある音響を楽しめる。
【００３６】
このような構成を有する音響装置２０１についても、板体２Ａの上面２２Ａに第１凹部Ｒ１に加えて副音響空間２０３に対応する第３凹部Ｒ３を形成し、板体２Ｂの下面２２Ｂに第２凹部Ｒ２に加えて副音響空間２０３に対応する第４凹部Ｒ４を形成すれば、板体２Ａと板体２Ｂとを上述のように積層させることにより、第３凹部Ｒ３と第４凹部Ｒ４との組み合わせにより副音響空間２０３が形成されるので、音響装置２０１を容易に製造できる。
【００３７】
［第４実施形態］
次に、本発明の第４実施形態に係る音響装置について説明する。図１０及び図１１を参照して、音響装置３０１は上記第２実施形態の音響装置１０１と略同一の構成を有するが、音響空間１０３に連通する一対の副音響空間３０３が設けられている点で異なる。一方の副音響空間３０３は、音響空間１０３の長手方向Ｄ１中央部から側面１２３に向かって短手方向Ｄ２に延び、箱体１０２の側面１２３において開口してる。他方の副音響空間３０３は、音響空間１０３の長手方向Ｄ１中央部から側面１２４に向かって短手方向Ｄ２に延び、箱体１０２の側面１２５において開口している。このように構成することにより、外部音源Ｔからの音響は副音響空間３０３内においても共鳴し、副音響空間３０３から外部に、短手方向Ｄ２両側へ向かって出力される。よって、スピーカ開口１３１から出力される音響と副音響空間３０３から出力される音響とが響き合い、より響きのある音響を楽しめる。
【００３８】
このような構成を有する音響装置３０１についても、板体１０２Ａの上面１２２Ａに第１凹部Ｒ１０１に加えて一対の副音響空間３０３に対応する一対の第３凹部Ｒ１０３を形成し、板体１０２Ｂの下面１２２Ｂに第２凹部Ｒ１０２に加えて一対の副音響空間３０３に対応する一対の第４凹部Ｒ１０４を形成すれば、板体１０２Ａと板体１０２Ｂとを上述の様に積層させることにより、第３凹部Ｒ１０３と第４凹部Ｒ１０４との組み合わせによって一対の副音響空間３０３が形成されるので、音響装置３０１を容易に製造できる。
【００３９】
以上、本発明の実施形態に係る音響装置について添付の図面を参照して説明したが、本発明はかかる実施形態に限定されず、本発明の範囲を逸脱することなく種々の変形、修正が可能である。
【００４０】
例えば、第３実施形態においては、副音響空間２０３を１つだけ設けたが、複音響空間２０３を複数個、長手方向Ｄ１に並べて設けてもよい。また、副音響空間２０３の長手方向Ｄ１における幅寸法は、短手方向Ｄ２において均一としたが、側面２４に向かうに従い漸増するようにしても良い。
【００４１】
第４実施形態においても同様に、短手方向Ｄ２に直列に配列された一対の副音響空間３０３を設けたが、副音響空間３０３を複数対、長手方向Ｄ１に並べて設けても良く、副音響空間３０３の長手方向Ｄ１における幅寸法は、短手方向Ｄ２において均一であってもよく、側面１２４（又は側面１２５）に向かうに従い漸増するようにしても良い。また、副音響空間３０３は必ずしも一対設ける必要はなく、一対の副音響空間３０３のうち何れか一方の副音響空間３０３のみ設けても良い。
【００４２】
また、図１２に示すように、音響装置１（２０１）の差込口４内部に規制手段としてのダボ１０を設け、端末装置Ｔが所定量を超えて差込口４内に差し込まれるのを防止するようにしてもよい。ダボ１０を設ける場合には、板体２Ａ，２Ｂの第２，第４溝部４Ａ，４Ｂの底面に収容凹部７Ａ，７Ｂを設けておき、これら収容凹部７Ａ，７Ｂにダボ１０の両端が挿入されて保持されるようにすればよい。また、規制手段はダボ１０に限定されず、例えば図１３に示す様に差込口４に設けられた段部４１であってもよい。
【００４３】
更に、上記各実施形態においては平面視矩形状の箱体２を用いたが、箱体２の形状はこれに限定されず、例えば平面視円形状や楕円形状、鼓形状等であってもよく、上述したような音響空間と挿入口（及び１又は複数の副音響空間）を有すればその形状に制限はない。
【符号の説明】
【００４４】
１、１０１、２０１、３０１  音響装置
２、１０２  箱体
３、１０３  音響空間
２０３、３０３  副音響空間
４、１０４  差込口
３１、１３１  スピーカ開口
Ｔ  外部音源
【図１】
2017227741.tif 000003
【図２】
2017227741.tif 000004
【図３】
2017227741.tif 000005
【図４】
2017227741.tif 000006
【図５】
2017227741.tif 000007
【図６】
2017227741.tif 000008
【図７】
2017227741.tif 000009
【図８】
2017227741.tif 000010
【図９】
2017227741.tif 000011
【図１０】
2017227741.tif 000012
【図１１】
2017227741.tif 000013
【図１２】
2017227741.tif 000014
【図１３】
2017227741.tif 000015